(57)【要約】      （修正有）【課題】ポータブル電子デバイスのハウジングアセンブリの構造を提供する。【解決手段】第一、第二本体１８，２０、第一係合固定部品４２、第一弾性部品、第一ハウジング１４を備え、第一本体１８は第一収容室を備え、第二本体２０は第一本体１８に設置し、第二本体２０は第一釈放孔、第一穿孔３８を備え、第一係合固定部品４２は第一収容室に可動状に設置し、第一係合固定部品４２は第一釈放孔に対応し、第一穿孔３８に対応する第一係合固定部４６を備え、第一弾性部品は第一係合固定部品４２に作用し、これにより第一係合固定部品４２は第一釈放孔に向い、第一ハウジング１４は第二本体２０に設置し、第一ハウジング１４は第一接触接続部６８を備え、第一係合固定部４６に対応し、組立て時には、第一接触接続部６８と第一係合固定部４６とは相互に接触し、第一弾性部品の弾力を第一係合固定部品４２に加えることで、第一ハウジング１４は安定的かつ堅固に第二本体２０に設置される。【選択図】図６
0003185645.tif 000002
【実用新案登録請求の範囲】
【請求項１】
ポータブル電子デバイスのハウジングアセンブリは、第一本体、第二本体、第一係合固定部品、第一弾性部品、第一ハウジングを備え、
前記第一本体は、第一側部、及び前記第一側部に対応する第一側部を備え、前記第一側部は、第一収容室を備え、
前記第二本体は、前記第一本体に設置し、前記第二本体は、第一釈放孔、及び少なくとも１個の第一穿孔を備え、前記第一穿孔は、前記第一本体の第一収容室に対応し、
前記第一係合固定部品は、前記第一本体の第一収容室に可動状に設置され、前記第一係合固定部品は、前記第二本体の第一穿孔に対応する少なくとも１個の第一係合固定部を備え、前記第一係合固定部品は、前記第二本体の第一釈放孔に対応し、
前記第一弾性部品は、弾力を提供し、前記第一係合固定部品に作用し、これにより前記第一係合固定部品は、前記第二本体の第一釈放孔に向い、
前記第一ハウジングは、前記第二本体に設置し、前記第一ハウジングは、第一側部及び第二側部を備え、前記第一側部は、少なくとも１個の第一接触接続部を備え、前記第一係合固定部品の第一係合固定部に対応し、
組立て時には、前記第一ハウジングの第一接触接続部と前記第一係合固定部品の第一係合固定部とは相互に接触し、前記第一弾性部品の弾力を前記第一係合固定部品に加えることにより、前記第一ハウジングは、前記第二本体に安定的かつ堅固に設置されることを特徴とするポータブル電子デバイスのハウジングアセンブリの構造。
【請求項２】
前記第一収容室はおおよそ、前記第一本体の第一側部に平行で、しかも前記第一本体の第一側部の長さに沿って設置されることを特徴とする請求項１に記載のポータブル電子デバイスのハウジングアセンブリの構造。
【請求項３】
前記ポータブル電子デバイスのハウジングアセンブリはさらに、第一固定部品を備え、前記第一本体に設置し、前記第一固定部品は、収容孔を備え、これに前記第一弾性部品の局部を収容設置することを特徴とする請求項１に記載のポータブル電子デバイスのハウジングアセンブリの構造。
【請求項４】
前記第一係合固定部品の第一係合固定部は、第一接触面を備え、前記第一接触接続部は、第二接触面を備え、前記第一接触面と相互に接触することを特徴とする請求項１に記載のポータブル電子デバイスのハウジングアセンブリの構造。
【請求項５】
前記第一係合固定部の第一接触面と前記第一接触接続部の第二接触面の一方は、斜面であることを特徴とする請求項４に記載のポータブル電子デバイスのハウジングアセンブリの構造。
【請求項６】
前記ポータブル電子デバイスのハウジングアセンブリはさらに第一凸体を備え、前記第一凸体は、前記第一係合固定部の第一接触面の一部分から延伸し、前記第一凸体は、前記第一接触接続部の第二接触面と相互に接触することを特徴とする請求項５に記載のポータブル電子デバイスのハウジングアセンブリの構造。
【請求項７】
前記ポータブル電子デバイスのハウジングアセンブリはさらに、第二凸体を備え、前記第二凸体は、前記第一接触接続部の第二接触面の一部分から延伸し、前記第二凸体は、前記第一係合固定部の第一接触面と相互に接触することを特徴とする請求項５に記載のポータブル電子デバイスのハウジングアセンブリの構造。
【請求項８】
前記第一係合固定部品の第一係合固定部は、第一導引面を備え、前記第一接触接続部は、第二導引面を備え、前記第一導引面に対応し、これにより前記第一係合固定部品の第一係合固定部の移動を導引しやすくなることを特徴とする請求項１に記載のポータブル電子デバイスのハウジングアセンブリの構造。
【請求項９】
前記第一導引面と前記第二導引面の一方は斜面であることを特徴とする請求項８に記載のポータブル電子デバイスのハウジングアセンブリの構造。
【請求項１０】
前記第一係合固定部は、円柱体で、前記第一導引面は、曲面であることを特徴とする請求項８に記載のポータブル電子デバイスのハウジングアセンブリの構造。
【請求項１１】
前記第一係合固定部は、矩形体で、前記第一導引面は、矩形体の一辺であることを特徴とする請求項８に記載のポータブル電子デバイスのハウジングアセンブリの構造。
【請求項１２】
前記第一本体の第一側部は、少なくとも１個の第一連接部を備え、前記第二本体の第二側部は、少なくとも１個の第二連接部を備え、前記第一ハウジングの第二側部は、少なくとも１個の第一係合接続部を備え、前記第二本体の第二連接部に対応し、相互に組立てて係合し定位することを特徴とする請求項１に記載のポータブル電子デバイスのハウジングアセンブリの構造。
【請求項１３】
前記ポータブル電子デバイスのハウジングアセンブリはさらに、第二ハウジングを備え、前記第二ハウジングは、第一側部及び第二側部を備え、前記第一側部は、少なくとも１個の第二接触接続部を備え、前記第一本体の第一連接部に対応することを特徴とする請求項１に記載のポータブル電子デバイスのハウジングアセンブリの構造。
【請求項１４】
ポータブル電子デバイスのハウジングアセンブリは、第一本体、第二本体、第一係合固定部品、第一弾性部品、第二係合固定部品、第二弾性部品、第一ハウジング、第二ハウジングを備え、
前記第一本体は、第一側部、及び前記第一側部に対応する第二側部を備え、
前記第一側部は、少なくとも１個の第一連接部を備え、前記第二側部は、少なくとも１個の第二穿孔を備え、
前記第二本体は、前記第一本体に設置し、前記第二本体は、前記第一本体に対応し、第一側部及び第二側部を備え、
前記第一側部は、第一釈放孔及び少なくとも１個の第一穿孔を備え、前記第二側部は、第二釈放孔及び少なくとも１個の第二連接部を備え、
前記第一係合固定部品は、前記第一本体と前記第二本体との間に可動状に設置し、前記第二本体の第一釈放孔に対応し、前記第一係合固定部品は、  前記第二本体の第一穿孔に対応する少なくとも１個の第一係合固定部を備え、
前記第一弾性部品は、弾力を提供し、前記第一係合固定部品に作用し、これにより前記第一係合固定部品は、前記第二本体の釈放孔に向かい、
前記第二係合固定部品は、前記第一本体と前記第二本体との間に可動状に設置し、前記第二本体の第二釈放孔に対応し、前記第二係合固定部品は、少なくとも１個の第二係合固定部を備え、前記第一本体の第二穿孔に対応し、
前記第二弾性部品は、前記第二係合固定部品に弾力を提供し、これにより前記第二係合固定部品は、弾力により所定の位置を保持し、前記第二本体の第二釈放孔に対応し、
前記第一ハウジングは、前記第二本体に設置し、前記第一ハウジングは、第一側部及び第二側部を備え、前記第一ハウジングの第一側部は、少なくとも１個の第一接触接続部を備え、前記第一係合固定部品の第一係合固定部に対応し、前記第一ハウジングの第二側部は、少なくとも１個の第一係合接続部を備え、前記第二本体の第二連接部に対応し、
前記第二ハウジングは、前記第一本体に設置し、前記第二ハウジングは、第一側部及び第二側部を備え、それぞれ前記第一本体の第一側部及び第二側部に対応し、前記第二ハウジングの第一側部は、少なくとも１個の第二係合接続部を備え、前記第一本体の第一連接部に対応し、前記第二ハウジングの第二側部は、少なくとも１個の第二接触接続部を備え、前記第二係合固定部品の第二係合固定部に対応し、
前記第一ハウジングを前記第二本体に組み立てる時には、前記第一ハウジングの第一係合接続部と前記第二本体の第二連接部とは、相互に係合して接続し、しかも前記第一ハウジングの第一接触接続部と前記第一係合固定部品の第一係合固定部とは、相互に係合して接続し、
前記第一弾性部品の弾力を前記第一係合固定部品に加えることで、前記第一ハウジングの第一接触接続部は、前記第一係合固定部品の第一係合固定部と、安定的かつ堅固に、相互に係合して接続し、前記第一ハウジングは、安定的かつ堅固に前記第二本体に設置され、
前記第二ハウジングを、前記第一本体に組み立てる時には、前記第二ハウジングの第二係合接続部と前記第一本体の第一連接部とは、相互に係合して接続し、しかも前記第二ハウジングの第二接触接続部と前記第二係合固定部品の第二係合固定部とは、相互に係合して接続し、前記第二弾性部品の弾力を、前記第二係合固定部品に加えることで、前記第二ハウジングの第二接触接続部は、前記第二係合固定部品の第二係合固定部と、安定的かつ堅固に相互に係合して接続され、前記第二ハウジングは、前記第一本体に安定的かつ堅固に設置されることを特徴とするポータブル電子デバイスのハウジングアセンブリの構造。
【請求項１５】
前記第一係合固定部品の第一係合固定部は、第一接触面を備え、
前記第一接触接続部は、第二接触面を備え、
第一凸体は、前記第一係合固定部の第一接触面の一部分から延伸し、
前記第一凸体と前記第一接触接続部の第二接触面とは相互に接触し、
第二凸体は、前記第一接触接続部の第二接触面の一部分から延伸し、
前記第二凸体と前記第一係合固定部の第一接触面とは相互に接触することを特徴とする請求項１４に記載のポータブル電子デバイスのハウジングアセンブリの構造。
【考案の詳細な説明】
【技術分野】
【０００１】
本考案はポータブル電子デバイスのハウジングアセンブリの構造に関する。
【背景技術】
【０００２】
従来のポータブル電子デバイスのハウジングアセンブリは、ボルトを採用して組立てる。しかし、ボルト組立てを採用するハウジングアセンブリは、組立てと分解時に比較的長い時間がかかる。しかも、組立て後に、各ボルトの締付け力を相同に保てる保証はない。
【０００３】
Chen氏等が特許を批准された構造である特許文献１は、ボルトを用いないアセンブリを開示する。しかし、同構造では、組立て構成部材が比較的複雑である。本考案は、従来のポータブル電子デバイスのハウジングアセンブリの構造の上記した欠点に鑑みてなされたものである。
【先行技術文献】
【特許文献】
【０００４】
【特許文献１】米国特許第 8,164,898 B2号
【考案の概要】
【考案が解決しようとする課題】
【０００５】
本考案が解決しようとする課題は、組立て構成部材がよりシンプルで、しかも組立て/分解をよりスピーディに行えるハウジングアセンブリであるポータブル電子デバイスのハウジングアセンブリの構造を提供することである。
【課題を解決するための手段】
【０００６】
上記課題を解決するため、本考案は下記のポータブル電子デバイスのハウジングアセンブリの構造を提供する。
ポータブル電子デバイスのハウジングアセンブリの構造は、第一本体、第二本体、第一係合固定部品、第一弾性部品、第一ハウジングを備え、
該第一本体は、第一側部、及び該第一側部に対応する第二側部を備え、
該第一側部は、第一収容室を備え、
該第二本体は、該第一本体に設置し、該第二本体は、第一釈放孔、及び少なくとも１個の第一穿孔を備え、該第一穿孔は、第一本体の第一収容室に対応し、
該第一係合固定部品は、該第一本体の第一収容室に可動状に設置され、該第一係合固定部品は、該第二本体の第一穿孔に対応する少なくとも１個の第一係合固定部を備え、第一係合固定部品の第二端は、該第二本体の第一釈放孔に対応し、
該第一弾性部品は、弾力を提供し、該第一係合固定部品に作用し、これにより該第一係合固定部品は、該第二本体の第一釈放孔に向い、
該第一ハウジングは、該第二本体に設置し、該第一ハウジングは、第一側部及び第二側部を備え、該第一側部は、少なくとも１個の第一接触接続部を備え、該第一係合固定部品の第一係合固定部に対応し、
組立て時には、第一ハウジングの第一接触接続部と第一係合固定部品の第一係合固定部とは相互に接触し、該第一弾性部品の弾力を該第一係合固定部品に加えることにより、該第一ハウジングは、該第二本体に安定的かつ堅固に設置され、
好ましくは、該第一収容室はおおよそ、該第一本体の第一側部に平行で、しかも該第一本体の第一側部の長さに沿って設置され、
好ましくは、さらに第一固定部品を備え、該第一本体に設置し、該第一固定部品は、収容孔を備え、これに該第一弾性部品の局部を収容設置し、
好ましくは、該第一係合固定部品の第一係合固定部は、第一接触面を備え、該第一接触接続部は、第二接触面を備え、該第一接触面と相互に接触し、
好ましくは、該第一係合固定部の第一接触面と該第一接触接続部の第二接触面の一方は、斜面で、
好ましくは、さらに第一凸体を備え、該第一凸体は第一係合固定部の第一接触面の一部分から延伸し、該第一凸体は、第一接触接続部の第二接触面と相互に接触し、
好ましくは、さらに第二凸体を備え、該第二凸体は第一接触接続部の第二接触面の一部分から延伸し、該第二凸体は、第一係合固定部の第一接触面と相互に接触し、
好ましくは、該第一係合固定部品の第一係合固定部は、第一導引面を備え、該第一接触接続部は、第二導引面を備え、該第一導引面に対応し、これにより該第一係合固定部品の第一係合固定部の移動を導引しやすくなり、
好ましくは、該第一導引面と該第二導引面の一方は斜面で、
好ましくは、該第一係合固定部は、円柱体で、該第一導引面は、曲面で、
好ましくは、該第一係合固定部は、矩形体で、該第一導引面は、矩形体の一辺で、
好ましくは、該第一本体の第一側部は、少なくとも１個の第一連接部を備え、該第二本体の第二側部は、少なくとも１個の第二連接部を備え、該第一ハウジングの第二側部は、少なくとも１個の第一係合接続部を備え、該第二本体の第二連接部に対応し、相互に組立てて係合し定位し、
ポータブル電子デバイスのハウジングアセンブリは、第一本体、第二本体、第一係合固定部品、第一弾性部品、第二係合固定部品、第二弾性部品、第一ハウジング、第二ハウジングを備え、
該第一本体は、第一側部、及び該第一側部に対応する第二側部を備え、該第一側部は、少なくとも１個の第一連接部を備え、該第二側部は、少なくとも１個の第二穿孔を備え、
該第二本体は、該第一本体に設置し、該第二本体は、該第一本体に対応し、第一側部及び第二側部を備え、該第一側部は、第一釈放孔及び少なくとも１個の第一穿孔を備え、該第二側部は、第二釈放孔及び少なくとも１個の第二連接部を備え、
該第一係合固定部品は、該第一本体と該第二本体との間に可動状に設置し、該第二本体の第一釈放孔に対応し、該第一係合固定部品は、該第二本体の第一穿孔に対応する少なくとも１個の第一係合固定部を備え、
該第一弾性部品は、弾力を提供し、該第一係合固定部品に作用し、これにより該第一係合固定部品は、該第二本体の釈放孔に向かい、
該第二係合固定部品は、該第一本体と該第二本体との間に可動状に設置し、該第二本体の第二釈放孔に対応し、該第二係合固定部品は、少なくとも１個の第二係合固定部を備え、該第一本体の第二穿孔に対応し、該第二弾性部品は、該第二係合固定部品に弾力を提供し、これにより該第二係合固定部品は、弾力により所定の位置を保持し、該第二本体の第二釈放孔に対応し、
該第一ハウジングは、該第二本体に設置し、該第一ハウジングは、第一側部及び第二側部を備え、第一ハウジングの第一側部は、少なくとも１個の第一接触接続部を備え、該第一係合固定部品の第一係合固定部に対応し、該第一ハウジングの第二側部は、少なくとも１個の第一係合接続部を備え、該第二本体の第二連接部に対応し、
該第二ハウジングは、該第一本体に設置し、該第二ハウジングは、第一側部及び第二側部を備え、それぞれ該第一本体の第一側部及び第二側部に対応し、該第二ハウジングの第一側部は、少なくとも１個の第二係合接続部を備え、該第一本体の第一連接部に対応し、第二ハウジングの第二側部は、少なくとも１個の第二接触接続部を備え、該第二係合固定部品の第二係合固定部に対応し、
組立て時には、該第一ハウジングの第一係合接続部と該第二本体の第二連接部とは、相互に係合して接続し、しかも該第一ハウジングの第一接触接続部と該第一係合固定部品の第一係合固定部とは、相互に係合して接続し、
該第一弾性部品の弾力を該第一係合固定部品に加えることで、該第一ハウジングの第一接触接続部は、該第一係合固定部品の第一係合固定部と、安定的かつ堅固に、相互に係合して接続し、該第一ハウジングは、安定的かつ堅固に該第二本体に設置され、
組立て時には、第二ハウジングの第二係合接続部と第一本体の第一連接部とは、相互に係合して接続し、しかも該第二ハウジングの第二接触接続部と該第二係合固定部品の第二係合固定部とは、相互に係合して接続し、該第二弾性部品の弾力を、該第二係合固定部品に加えることで、該第二ハウジングの第二接触接続部は、該第二係合固定部品の第二係合固定部と、安定的かつ堅固に相互に係合して接続され、該第二ハウジングは、該第一本体に安定的かつ堅固に設置され、
好ましくは、該第一係合固定部品の第一係合固定部は、第一接触面を備え、該第一接触接続部は、第二接触面を備え、
第一凸体は、該第一係合固定部の第一接触面の一部分から延伸し、
該第一凸体と該第一接触接続部の第二接触面とは相互に接触し、
第二凸体は、該第一接触接続部の第二接触面の一部分から延伸し、該第二凸体と該第一係合固定部の第一接触面とは相互に接触する。
【考案の効果】
【０００７】
本考案のポータブル電子デバイスのハウジングアセンブリの構造は、組立て構成部材がシンプルで、しかも組立て/分解をスピーディに行うことができる。
【図面の簡単な説明】
【０００８】
【図１】本考案実施例ポータブル電子デバイスのハウジングアセンブリの分解模式図である。
【図２】本考案実施例ポータブル電子デバイス本体の組立て模式図である。
【図３】本考案実施例の係合固定アセンブリと本体との間の設置を示す分解模式図である。
【図４Ａ】本考案実施例の第一係合固定部品と第一本体との間の設置を示す分解模式図である。
【図４Ｂ】本考案実施例の第一係合固定部品を本体に組み立てる様子を示す模式図である。
【図５Ａ】本考案実施例の第二係合固定部品と第一本体との間の設置を示す分解模式図である。
【図５Ｂ】本考案実施例の第二係合固定部品を本体に組み立てる様子を示す模式図である。
【図６】本考案実施例の第一ハウジング及び第二ハウジングと本体との間の設置を示す分解模式図である。
【図７Ａ】本考案実施例の第一ハウジングの第一側部と第二本体との間の局部設置分解模式図である。
【図７Ｂ】本考案実施例の第一ハウジングの第二側部と第二本体との間の局部設置組合模式図である。
【図８Ａ】本考案実施例の第一ハウジングの第一側部と第一本体に設置する第一係合固定部品との間の設置分解模式図である。
【図８Ｂ】本考案実施例の第一ハウジングの第一側部と第一本体に設置する第一係合固定部品との間の組立て模式図である。
【図８Ｃ】本考案実施例の第一ハウジングの第一側部と第一本体に設置する第一係合固定部品との間の組立て断面模式図である。
【図９Ａ】本考案実施例の第一ハウジングの第一側部と第一本体に設置する第二実施例の第一係合固定部品との間の組立て模式図である。
【図９Ｂ】本考案実施例の第一ハウジングの第一側部と第一本体に設置する第三実施例の第一係合固定部品との間の組立て模式図である。
【図１０Ａ】本考案実施例の第一ハウジングを本体に組み立てる様子を示す模式図である。
【図１０Ｂ】本考案実施例において、工具を本体に挿入することで、第一ハウジングを本体から分解する様子を示す模式図である。
【図１０Ｃ】本考案実施例において、工具を本体に挿入することで、第一ハウジングを本体から取外す様子を示す模式図である。
【考案を実施するための形態】
【０００９】
以下に図面を参照しながら本考案を実施するための最良の形態について詳述する。
【００１０】
図１に示すように、本考案実施例は、本体10、係合固定アセンブリ12、第一ハウジング14、第二ハウジング16を備える。
【００１１】
本体10はさらに、第一本体18及び第二本体20を備える。
【００１２】
図２に示すように、本体10は、第一本体18を備え、第二本体20を安定的かつ堅固に第一本体18に設置する。
【００１３】
第一本体18は、上部22a、下部24a、第一側部26a、第二側部28aを備え、第二側部28aは第一側部26aに対応する。第二本体20は、第一本体18に対応し、上部22b、下部24b、第一側部26b、第二側部28bを備え、第二側部28bは第一側部26bに対応する。
【００１４】
第一本体18の上部22aと第二本体20の上部22bとは、共同で本体10の上部22を構成する。第一本体18の下部24aと第二本体20の下部24bとは、共同で本体10の下部24を構成する。第一本体18の第一側部26aと第二本体20の第一側部26bとは、共同で本体10の第一側部26を構成する。
第一本体18の第二側部28aと第二本体20の第二側部28bとは、共同で本体10の第二側部28を構成する。第二本体20の第一側部26b及び第二側部28bは、それぞれ第一釈放孔30a及び第二釈放孔30bを備え、それぞれに工具を挿入することができる。
【００１５】
図３に示すように、第一本体18の第一側部26aは、第一収容室32a、及び少なくとも１個の第一連接部33を備える。第一収容室32aはおおよそ、第一本体18の第一側部26aに平行である。好ましくは、第一収容室32aはおおよそ、第一本体18の第一側部26aの長さに沿って設置する。好ましくは、第一本体18は、複数の第一連接部33を備える。実施例中では、第一連接部33は孔である。
【００１６】
第一本体18の第二側部28aは、第二収容室32bを備え、第二収容室32bはおおよそ、第一本体18の第二側部28aに平行である。好ましくは、第一本体18の第一側部26aはさらに、第一溝槽34a、第一通道36aを備え、第一通道36aは、第一収容室32aと第一溝槽34aとの間に連接する。好ましくは、第一本体18の第二側部28aはさらに、第二溝槽34b、第二通道36bを備え、第二通道36bは、第二収容室32bと第二溝槽34bとの間に連接する。
【００１７】
第二本体20の第一側部26bは、少なくとも１個の第一穿孔38を備え、第一穿孔38は、第一本体18の第一収容室32aに対応する。第二本体20の第二側部28bは、少なくとも１個の第二連接部40を備える。好ましくは、さらに複数の第一穿孔38、第二連接部40を備え、第二連接部40は第二本体20に設置する。実施例中では、第二連接部40は孔である。
【００１８】
係合固定アセンブリ12は、第一係合固定部品42及び第一弾性部品44を備える。第一係合固定部品42は、第一本体18と第二本体20との間に対応して設置する。第一係合固定部品42は、第一端43a、第一端43aに相対する第二端43b、及び第二本体20の第一穿孔38に対応する少なくとも１個の第一係合固定部46を備える。第一弾性部品44は、第一本体18と第一係合固定部品42との間に対応して設置する。好ましくは、第一係合固定部品42の第一端43aは、第一弾性部品44に対応する定位ピン48を備える。
【００１９】
定位ピン48は選択的に補助として用い、第一弾性部品44は、第一本体18と第二本体20との間に対応して設置する。第一係合固定部品42の第二端43bは、第一釈放孔30aに対応する。好ましくは、さらに第一固定部品50を備え、第一本体18に対応する第一溝槽34aに設置する。好ましくは、第一係合固定部品42は、複数の第一係合固定部46を備え、第二本体20の複数の第一穿孔38に対応する。
【００２０】
実施例中では、係合固定アセンブリ12はさらに、第二係合固定部品52及び第二弾性部品54を備える。第二係合固定部品52は、本体10の第二釈放孔30bに対応し、第二係合固定部品52は、少なくとも１個の第二係合固定部56を備え、第一本体18の第二側部28aの第二収容室32bに設置する。
第二弾性部品54は、第一本体18と第二係合固定部品52との間に設置する。第二弾性部品54により、第二係合固定部品52に弾力を提供し、これにより第二係合固定部品52は弾力により所定の位置を保持し、第二本体20の第二釈放孔30bに対応する。好ましくは、第二係合固定部品42は、複数の第二係合固定部56を備える。
【００２１】
図４A、４Bに示すように、係合固定アセンブリ12の第一固定部品50は、第一本体18の第一側部26aの第一溝槽34aに設置する。第一係合固定部品42は、第一本体18の第一側部26aの第一収容室32aに設置する。第一固定部品50は、収容孔58を備え、第一弾性部品44の局部を収容設置する。第一弾性部品44は、弾力を提供し、第一係合固定部品42に接触し、第一弾性部品44の弾力により、第一係合固定部品42は所定の位置を保持する。
【００２２】
図５A、５Bに示すように、係合固定アセンブリ12はさらに、第二固定部品60を備え、第二固定部品60は、第一本体18の第二側部28aの第二溝槽34bに設置し、及び第二固定部品60は、収容孔62を備え、これに第二弾性部品54の局部を収容設置する。第一本体18の第二側部28aは、少なくとも１個の第二穿孔64を備え、第二係合固定部品52の第二係合固定部56に対応する。好ましくは、さらに複数の第二穿孔64を備え、第一本体18の第二側部28aに設置する。
【００２３】
実施例では、第二係合固定部品52の複数の第二係合固定部56は、第一本体18の複数の第二穿孔64に対応する。第二弾性部品54は、弾力を提供し、第二係合固定部品52に接触し、第二弾性部品54の弾力により、第二係合固定部品52は所定の位置を保持する。
【００２４】
図６に示すように、係合固定アセンブリ12は、第一本体18と第二本体20との間に設置する。即ち、係合固定アセンブリ12は、本体10に設置する。係合固定アセンブリ12の第一係合固定部品42の複数の第一係合固定部46は、第二本体20の複数の第一穿孔38を通過する。第一ハウジング14は、第二本体20に対応して設置し、及び第二ハウジング16は、第一本体18に対応して設置する。
【００２５】
即ち、本体10は、第一ハウジング14と第二ハウジング16との間に対応して設置される。第一ハウジング14は、第一側部66a及び第二側部66bを備え、それぞれ第二本体20の第一側部26b及び第二側部28bに対応する。第一ハウジング14の第一側部66aは、少なくとも１個の第一接触接続部68を備え、第一係合固定部品42の第一係合固定部46に対応する。好ましくは、さらに複数の第一接触接続部68を備え、第一ハウジング14に設置する。第一ハウジング14の第二側部66bは、少なくとも１個の第一係合接続部70を備え、第二本体20の第二連接部40に対応する。好ましくは、第一ハウジング14は、複数の第二連接部70を備える。
【００２６】
第二ハウジング16は、第一側部72a及び第二側部72bを備え、第一本体18の第一側部26a及び第二側部28aにそれぞれ対応する。第二ハウジング16の第一側部72aは、少なくとも１個の第二係合接続部74を備え、第一本体18の第一連接部33に対応する。好ましくは、第二ハウジング16は、複数の第二係合接続部74を備える。第二ハウジング16の第二側部72bは、少なくとも１個の第二接触接続部76を備え、第二係合固定部品52の第二係合固定部56に対応する。好ましくは、さらに複数の第二接触接続部76を備え、第二ハウジング16に設置される。
【００２７】
図７A、７Bに示すように、第一ハウジング14は、第一係合接続部70を備え、第二本体20の第一連接部40と相互に組立て、係合して定位する。好ましくは、第一係合接続部70は、係合ほぞなどの突出物である。
【００２８】
図８A、８B、８Cに示すように、係合固定アセンブリ12の第一係合固定部品42は、第一本体18の第一収容室32aに可動状に設置する。第一固定部品50は、第一本体18の第一溝槽34aに設置する。第一弾性部品44は、第一係合固定部品42と第一固定部品50との間に設置し、弾力を第一係合固定部品42に加える。第一係合固定部品42の第一係合固定部46はおおよそ、三角形い類似した形状を呈し、さらに第一導引面78及び第一接触面80、第一導引面78に対応する第一ハウジング14の第一接触接続部68を含む。好ましくは、第一導引面78が斜面でもよい。第一接触面80の上面には、第一本体18に対応する第一収容室32aがある。
【００２９】
組立て時には、第一ハウジング14の第一接触接続部68は、第一係合固定部品42の第一係合固定部46に対応する。第一ハウジング14が第二本体20に向い組立てられる時、先ず、第一ハウジング14の第一係合接続部70により、第二本体20の第一連接部40と相互に組立て、係合して定位する。
【００３０】
図７A、７Bに示すように、次に、第一ハウジング14の第一接触接続部68を、第一係合固定部品42の第一係合固定部46に向わせ、第一係合固定部46の第一導引面78により、第一ハウジング14の第一接触接続部68に接触して接続する。これにより、第一係合固定部46の第一導引面78は、第一ハウジング14の第一接触接続部68の接触力量を受け移動し、移動行程に基づき、第一ハウジング14の第一接触接続部68が、第一係合固定部46の第一導引面78を越えるまで、第一弾性部品44を押す。第一弾性部品44は弾力を釈放するに従い、第一係合固定部品42を押し、これにより第一係合固定部46の第一接触面80は、第一ハウジング14の第一接触接続部68と相互に接続し定位される。
【００３１】
実施例中では、第一接触接続部68は、第二導引面82及び第二接触面84を備える。第二導引面82は、斜面であるため、第一係合固定部46の第一導引面78に対応し、第一係合固定部品42の第一係合固定部46の移動を導引し易い。第二接触面84は、第一係合固定部46の第一接触面80と相互に接触して接続する。好ましくは、さらに第一凸体86を備え、第一凸体86は第一係合固定部46の第一接触面80の一部分から延伸し、第一凸体86は、第一接触接続部68の第二接触面84と相互に接触する。好ましくは、さらに第二凸体88を備え、第二凸体88は、第一接触接続部68の第二接触面84の一部分から延伸し、第二凸体88は、第一係合固定部46の第一接触面80と相互に接触する。上記した設置により、第一ハウジング14は、第二本体20に設置、固定される。
【００３２】
図９Aに示すように、本考案第一係合固定部品42の第一係合固定部200の第二実施例では、第一係合固定部品42の第一係合固定部200はおおよそ、矩形体に類似する。即ち、第一係合固定部品42の第一係合固定部200の第一導引面202は、矩形体の一辺で、第一接触面204は、平面である。
【００３３】
図９Bに示すように、本考案第一係合固定部品42の第一係合固定部300の第三実施例では、第一係合固定部品42の第一係合固定部300はおおよそ、円柱体に類似する。即ち、第一係合固定部300の第一導引面302は、曲面である。
【００３４】
第一ハウジング14を第二本体20に設置する時には、第一導引面302が先ず第一接触接続部68に押され、第一係合固定部品42が移動後、第一導引面302は第一弾性部品44の作用を受け、第一接触接続部68と相互に接触する。こうして、第一ハウジング14を第二本体20に固定する。即ち、第一導引面302も、本考案の他の実施例の第一接触面80或いは204の効果を備える。
【００３５】
図１０A、１０B、１０Cに示すように、第一ハウジング14は、第二本体20に設置する。第一ハウジング14の複数の第一接触接続部68と第一係合固定部品42の複数の第一係合固定部46とは相互に接触し、これにより第一ハウジング14は、安定的かつ堅固に、第二本体20に設置される。
【００３６】
第一ハウジング14を、第二本体20から取外す時には、使用者は、細長い棒などの工具90を、本体10の第一釈放孔30aへと挿入し、第一係合固定部品42の第二端43bに接触させる。工具90により、第一係合固定部品42を押して移動させ、第一係合固定部品42が移動するまで、第一弾性部品44の弾力を押さえる。これにより、第一係合固定部46は、第一ハウジング14の各第一接触接続部68との接触を離脱し、第一ハウジング14は第二本体20から取外される。
【００３７】
工具90が、第一係合固定部品42を押さなくなると、第一係合固定部品42における第一弾性部品44の弾力釈放作用により、第一係合固定部品42は直ちに当初の状態を回復する。
【００３８】
上記したように、第二ハウジング16は形状と設置の方向が、第一ハウジング14と異なるだけで、他の機能、部品、機構、操作方式は皆相同であるため、再記述を行わない。
【００３９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４１】
10：本体
12：係合固定アセンブリ
14：第一ハウジング
16：第二ハウジング
18：第一本体
20：第二本体
22：上部
22a：上部
22b：上部
24：下部
24a：下部
24b：下部
26：第一側部
26a：第一側部
26b：第一側部
28：第二側部
28a：第二側部              
28b：第二側部
30a：第一釈放孔
30b：第二釈放孔
32a：第一収容室
32b：第二収容室
33：第一連接部  
34a：第一溝槽
34b：第二溝槽
36a：第一通道
36b：第二通道
38：第一穿孔
40：第二連接部
42：第一係合固定部品
43a：第一端
43b：第二端
44：第一弾性部品
46：第一係合固定部
48：定位ピン
50：第一固定部品
52：第二係合固定部品
54：第二弾性部品
56：第二係合固定部
58：収容孔
60：第二固定部品
62：収容孔
64：第二穿孔
66a：第一側部
66b：第二側部
68：第一接触接続部
70：第一係合接続部
72a：第一側部
72b：第二側部
74：第二係合接続部
76：第二接触接続部
78：第一導引面
80：第一接触面
82：第二導引面
84：第二接触面
86：第一凸体
88：第二凸体
90：工具
200：第一係合固定部  
202：第一導引面
204：第一接触面
300：第一係合固定部
302：第一導引面
【図１】
0003185645.tif 000003
【図２】
0003185645.tif 000004
【図３】
0003185645.tif 000005
【図４Ａ】
0003185645.tif 000006
【図４Ｂ】
0003185645.tif 000007
【図５Ａ】
0003185645.tif 000008
【図５Ｂ】
0003185645.tif 000009
【図６】
0003185645.tif 000010
【図７Ａ】
0003185645.tif 000011
【図７Ｂ】
0003185645.tif 000012
【図８Ａ】
0003185645.tif 000013
【図８Ｂ】
0003185645.tif 000014
【図８Ｃ】
0003185645.tif 000015
【図９Ａ】
0003185645.tif 000016
【図９Ｂ】
0003185645.tif 000017
【図１０Ａ】
0003185645.tif 000018
【図１０Ｂ】
0003185645.tif 000019
【図１０Ｃ】
0003185645.tif 000020